(57)【要約】【課題】水性系のレオロジー調整剤を提供する。【解決手段】本発明は、基体に施用された場合に、組成物が、破れて塊または粗いシートを形成することがなく、なめらかに広がって、連続したフィルムを形成する水性組成物であって、（メタ）アクリル酸残基、アルキル（メタ）アクリレート残基、親油的に修飾された（メタ）アクリレート残基、および架橋剤を含む架橋されたコポリマーを含む、ｐＨ４〜１０を有する水性組成物に関する。【選択図】なし【特許請求の範囲】
【請求項１】
０．１〜８重量％の１以上の架橋されたコポリマーを含む水性組成物であって：
ａ）１以上の架橋されたコポリマーのそれぞれが独立して、２．５〜３５重量％の（メタ）アクリル酸残基、１０〜８０重量％のＣ２〜Ｃ４アルキル（メタ）アクリレート残基、２〜２５重量％の親油的に修飾された（メタ）アクリレート残基、および０．００１〜７．５重量％の、エステルまたはアミド官能基を有さない架橋剤の残基を含み；
ｂ）組成物のｐＨが４〜１０であり；さらに
ｃ）基体に施用された場合に、組成物が、破れて塊または粗いシートを形成することがなく、なめらかに広がって、連続したフィルムを形成する水性組成物。
【請求項２】
０．５〜４０重量％の１以上の界面活性剤をさらに含む請求項１記載の組成物。
【請求項３】
架橋剤が、ジビニルベンゼン、トリメチロールプロパンジアリルエーテル、およびテトラアリルペンタエリスリトールの１以上である請求項１記載の組成物。
【請求項４】
架橋されたコポリマーの１以上が５〜２５重量％のアクリル酸残基を含む請求項１記載の組成物。
【請求項５】
０．７５〜４重量％の１以上の架橋されたコポリマーを含む請求項１記載の組成物。
【請求項６】
少なくとも１つの架橋されたコポリマーがメタクリル酸残基およびアクリル酸残基を含み、アクリル酸とメタクリル酸残基の合計がコポリマーの２０〜４０重量％になる請求項１記載の組成物。
【請求項７】
架橋されたコポリマーが０．１〜２．５重量％の架橋剤を含む請求項１記載の組成物。
【請求項８】
架橋されたコポリマーが１６〜２０重量％の親油的に修飾された（メタ）アクリレート残基を含む請求項１記載の組成物。
【請求項９】
１以上のさらなるレオロジー調整剤をさらに含む請求項１記載の組成物。
【請求項１０】
さらなるレオロジー調整剤の少なくとも１つがアクリレートコポリマーまたはＰＥＧ−１５０ジステアレートである請求項９記載の組成物。
【発明の詳細な説明】
【技術分野】
【０００１】
本発明は、水性系およびレオロジー調整ポリマーに関する
【背景技術】
【０００２】
レオロジー調整剤は水性洗浄剤製品、例えばシャンプーにおいて、粘度を増大させるため、粒子を懸濁させるため、または両方のために用いられる。懸濁化粒子が重要である場合、高剪断速度で製品の流動特性を維持しつつ、低剪断速度で粘度を増大させるために、レオロジー調整剤は特に有用である。加えて、レオロジー調整剤は、水性相中に分散された粒状物質またはビーズの有効な熱−老化安定性懸濁液を提供する。ビニルモノマーから製造される様々なコポリマーレオロジー調整剤がこの目的のために使用されてきた。例えば、米国特許出願公開番号２００４／００６３８５５は、粒子状物質を懸濁させるのに有用なメタクリル酸、アルキルアクリレート、アクリル酸およびステアリルオキシポリ（エチレンオキシ）２０エチルメタクリレートのアクリルエマルジョンコポリマーを開示している。
【特許文献１】米国特許出願公開番号２００４／００６３８５５号明細書
【発明の開示】
【発明が解決しようとする課題】
【０００３】
多くの様々な公知レオロジー調整剤にもかかわらず、良好な安定性、有利なレオロジー特性を組み合わせ、なめらかな流動性および粒子状物質、気泡、シリコーンおよび類似した物質の懸濁に関する高い効率を示す組成物に対する必要性が依然としてある。
【課題を解決するための手段】
【０００４】
本発明は、４〜１０のｐＨを有し、０．１％〜８％の１以上の架橋されたコポリマーを含む水性組成物を提供し、前記の１以上の架橋されたコポリマーのそれぞれは独立して、２．５〜３５重量％の（メタ）アクリル酸残基、１０〜８０重％のＣ２〜Ｃ４アクリル（メタ）アクリレート残基、２〜２５重量％の親油的に修飾された（メタ）アクリレート残基、および０．００１〜７．５重量％の架橋剤の残基を含み、前記架橋剤はエステルまたはアミド官能基を有さない。
【発明を実施するための最良の形態】
【０００５】
他に特に記載しない限り、パーセンテージは、場合に応じて、全組成物、ポリマーまたはコポリマー基準の重量百分率である。本明細書において用いられる場合、「（メタ）アクリル」なる用語は、アクリルまたはメタクリルを意味し、「（メタ）アクリレート」とは、アクリレートまたはメタクリレートまたはその混合物を意味する。「アクリルポリマー」なる用語は、１以上の（メタ）アクリルモノマー、例えば、アクリル酸（ＡＡ）、メタアクリル酸（ＭＡＡ）およびそのエステルを含むポリマー、および少なくとも５０％の（メタ）アクリルモノマーを含むコポリマーを意味する。ＡＡおよびＭＡＡのエステルは、例えば、メチルメタクリレート（ＭＭＡ）、エチルメタクリレート（ＥＭＡ）、ブチルメタクリレート（ＢＭＡ）、ヒドロキシエチルメタクリレート（ＨＥＭＡ）、メチルアクリレート（ＭＡ）、エチルアクリレート（ＥＡ）、ブチルアクリレート（ＢＡ）、エチルヘキシルアクリレート（ＥＨＡ）、およびヒドロキシエチルアクリレート（ＨＥＡ）、ならびに以下に記載される親油的に修飾されたモノマーをはじめとするＡＡまたはＭＡＡの他のアルキルエステルを包含する。好ましくは、アクリルポリマーは、（メタ）アクリル酸または（メタ）アクリレートモノマー、または両者から誘導されるモノマー残基を少なくとも７５％、さらに好ましくは少なくとも９０％、さらに一層好ましくは少なくとも９５％、最も好ましくは少なくとも９８％有する。「ビニルモノマー」なる用語は、付加重合に好適なモノマーであって、１つの重合可能な炭素−炭素二重結合を含有するモノマーを意味する。本明細書において用いられる場合、「残基」なる用語は、ポリマー内のモノマー単位を意味する。他に特に記載しない限り、「コポリマー」または「架橋されたコポリマー」なる用語は、独立して、本発明の水性組成物中の１以上の架橋されたコポリマーのそれぞれを意味する。
【０００６】
本発明に従って用いられるコポリマーは、親油的に修飾された（メタ）アクリレート残基を含有し、そのそれぞれは１、または複数の親油基を含有し得る。本発明の一実施形態によると、このような基は、適当には、ポリオキシエチレン鎖などの親水性鎖と同じコポリマー成分で、親水性鎖と結合している。本発明のもう一つ別の実施形態によると、コポリマーはポリマーを他のビニル含有物質と共重合させて、ポリマーの性質を変更または向上させるために用いることができるビニル基を含有することができる。あるいは、他の共重合系を用いることができる。重合性基は、親油基に直接または間接的に、例えば１以上、例えば６０まで、好ましくは４０までの水溶性リンカー基、例えば−ＣＨ［Ｒ］ＣＨ２Ｏ−または−ＣＨ［Ｒ］ＣＨ２ＮＨ−基（式中、Ｒは水素またはメチルである）を介して結合させることができる。あるいは、親水性成分、例えばポリオキシエチレンと不飽和を含有するウレタン化合物との反応により、重合性基を親油性基と結合させることができる。親油的修飾基の分子量は、好ましくは、コポリマー中、所望の最小親油性物質含量をもたらし、好ましくは広範囲に及ぶ系において満足できる性能をもたらすために、このような基の数に関して選択される。
本発明において有用なコポリマー中の親油的に修飾された成分の量は、好ましくは少なくとも５％、さらに好ましくは少なくとも１０％、最も好ましくは少なくとも１６％であり；かつ好ましくは２０％以下である。
【０００７】
親油的修飾基それ自体は、好ましくは直鎖飽和アルキル基であるが、アルアルキルまたはアルキル炭素環式基、例えば少なくとも６で、４０までの炭素原子を有するアルキルフェニル基であってもよいが、本発明においては分岐鎖基も有用である。アルキル基は、合成でも、天然源のもののいずれでもよいが、後者の場合、特に、ある範囲の鎖長を含有することができると理解される。例えば、天然源のステアリン酸は、商業的に純粋な品質のものでも、約９０％のステアリン鎖しか含有せず、約７％までのパルミチン鎖およびある割合の他の鎖を含有し、低品質の生成物は実質的にさらに少ないステアリン酸を含有しうる。本発明においては、このような基の鎖長について言及する場合、鎖の５０％超、好ましくは７５％超として存在する主な鎖長を意味する。
【０００８】
親油性修飾基の鎖長が最小限に抑えられていることが本発明の重要な副次的特徴である。鎖が主にアルキル基である場合、主たる鎖長は、好ましくは４０未満、さらに好ましくは８〜２２、最も好ましくは１０〜１８個の炭素原子である。親油的に修飾されたコポリマーの親水性成分は、好適にはポリオキシエチレン成分であって、好ましくは少なくとも２、好ましくは少なくとも５、さらに好ましくは少なくとも１０で、かつ６０まで、好ましくは４０まで、さらに好ましくは３０までのエチレンオキシド単位の少なくとも１つの鎖を含むポリオキシエチレン成分でありうる。このような成分は通常、様々な鎖長の混合物で製造される。
【０００９】
好ましくは、本発明において用いられるコポリマー中のＣ２〜Ｃ４アルキル（メタ）アクリレート残基は、Ｃ２〜Ｃ３（メタ）アクリレート残基であり、最も好ましくはＥＡである。好ましくは、Ｃ２〜Ｃ４アルキル（メタ）アクリレート残基の量は少なくとも２０％、さらに好ましくは少なくとも３０％、さらに一層好ましくは少なくとも４０％、最も好ましくは少なくとも５０％である。好ましくはＣ２〜Ｃ４アルキル（メタ）アクリレート残基の量は、７０％以下、さらに好ましくは６５％以下、最も好ましくは６０％以下である。好ましくは、本発明において用いられるコポリマー中の（メタ）アクリル酸残基の量は、少なくとも５％、さらに好ましくは少なくとも７．５％、さらに一層好ましくは少なくとも１０％、最も好ましくは少なくとも１５％である。好ましくは、（メタ）アクリル酸残基の量は、２７．５％以下、さらに好ましくは２５％以下、最も好ましくは２２％以下である。（メタ）アクリル酸残基は、（メタ）アクリル酸、または重合可能なビニル基を有する（メタ）アクリル酸オリゴマーのいずれかを、コポリマーを製造するために用いられるモノマー混合物中に含めることによりコポリマー中に導入される。好ましくは、コポリマーは、（メタ）アクリル酸から誘導される残基を、アクリル酸＋メタアクリル酸含量の合計の少なくとも１５％、さらに好ましくは少なくとも１７．５％、最も好ましくは少なくとも２０％の量で含有する。好ましくは、コポリマーのアクリル酸＋メタクリル酸の合計含量は、６５％以下、さらに好ましくは５０％以下、最も好ましくは４０％以下である。
【００１０】
任意に、コポリマーは２％〜２５％、好ましくは５％〜２０％の親水性コモノマーであって、好ましくはヒドロキシル、カルボン酸またはスルホン酸官能基を有するものも含有することができる。このような親水性コモノマーの例としては、例えば、２−ヒドロキシエチル（メタ）アクリレート、イタコン酸、およびアクリルアミド−２−メチルプロパンスルホン酸が挙げられる。
【００１１】
本発明のコポリマーは架橋され、すなわち架橋剤、例えば、２またはそれ以上のエチレン性不飽和基を有するモノマーが重合の間にコポリマー成分に含められる。架橋剤はエステルまたはアミド官能基を有さない。架橋性モノマーとしては、たとえば、ジビニルベンゼン、トリメチロールプロパンジアリルエーテル、テトラアリルペンタエリスリトール、トリアリルペンタエリスリトール、トリアリルシアヌレート、ビス−フェノールＡジアリルエーテル、ジアリルペンタエリスリトールおよびアリルシュークロースが挙げられる。ジビニルベンゼン、トリメチロールプロパンジアリルエーテル（ＴＭＰＤＥ）およびテトラアリルペンタエリスリトールが好ましい。ポリマー中の架橋剤残基の量は、コポリマー成分の重量基準で、０．００１％〜７．５％の範囲であり得るが、典型的には少なくとも０．０１％、好ましくは少なくとも０．１％である。好ましくは、ポリマー中の架橋剤残基の量は、３．０％以下、さらに好ましくは２．５％以下である。架橋剤が二官能性であり、例えばジビニルベンゼンである本発明の一実施形態において、ポリマー中の架橋剤残基の量は好ましくは少なくとも０．５％、さらに好ましくは少なくとも１％、最も好ましくは少なくとも１．５％である。架橋剤が二官能性を超えるもう一つ別の実施形態において、好ましくはポリマー中の架橋剤残基の量は１．０％以下、さらに好ましくは０．５％以下である。
【００１２】
本発明の一実施形態において、架橋剤が使用される場合、コポリマーは連鎖移動剤の存在下で調製される。好適な連鎖移動剤の例としては、例えば、四塩化炭素、ブロモホルム、ブロモトリクロロメタン、およびメルカプト基を有する化合物、例えば３−メルカプトプロピオン酸または長鎖アルキルメルカプタン、およびチオエステル、例えばドデシル−、オクチル−、テトラデシル−またはヘキサデシルメルカプタンまたはブチル−、イソオクチルまたはドデシル−チオグリコレートが挙げられる。使用される場合、連鎖移動剤の量は、典型的にはコポリマー成分の重量基準で０．０１％〜５％、好ましくは０．１％〜１％である。本発明の一実施形態において、架橋剤は連鎖移動剤と組み合わせて用いられる。これらは典型的には重合目的に関して対立する操作であるが、本発明の場合において、観察される効率において例外的であるだけでなく、生成物の透明度の増大により示されるように親水性界面活性剤と非常に高い相溶性も示すコポリマーが提供される。
【００１３】
コポリマーは、酸性ｐＨで公知の水性乳化重合法を用いるか、または中性ｐＨで逆乳化重合を用いるか、あるいは沈殿または溶液重合法を用いてモノマーを共重合させることにより調製できる。このような方法おいて、当該分野において公知の任意の他の好適な添加剤、例えばフリーラジカル開始剤、例えば過酸素またはジアゾ化合物および、任意に連鎖移動剤を使用することができる。好適な過酸素化合物としては、例えば、パーオキシド、ヒドロパーオキシド、パースルフェートまたは有機パーオキシドが挙げられる。開始剤の好適な量は、コポリマーの成分の０．０１重量％〜３重量％でありうる。共重合温度は、典型的には２５℃〜９２℃であり、好ましくは６０℃〜９０℃である。典型的には、コポリマーは濾過により回収され、コポリマーは所望により、噴霧乾燥または凝集により乾燥形態で得られる。米国特許第４３８４０９６号、第４６６３３８５号、第４４２９０９７号および第４５１４５５２号は、好適な共重合および回収技術、ならびに好適なモノマーおよび添加剤のさらなる一般的および具体的詳細について参照されうる。親油的に修飾された、本発明において有用なコポリマーは架橋されず、その分子量は典型的には１０００００〜１００００００の範囲である。
【００１４】
本発明の水性組成物は、０．５％〜８％の１以上のコポリマーを含有する。好ましくは、水性組成物中のコポリマーの量は、少なくとも０．７５％、さらに好ましくは少なくとも１％、最も好ましくは少なくとも１．２５％である。好ましくは、水性組成物中のコポリマーの量は、４％以下、さらに好ましくは３％以下、最も好ましくは２．５％以下である。好ましくは、コポリマーはアクリルポリマーである。コポリマーは、水性分散液または乾燥形態において、増粘される水性系中にブレンドし、その後、酸性または塩基性物質を所望により適当に添加することができる。
【００１５】
本発明の水性組成物は、任意に４０％までの１以上の界面活性剤を含有する。存在する場合、界面活性剤は、好ましくは、カルボキシレート、スルホネート、スルフェート、またはホスフェート可溶化基により特徴づけられるアニオン性界面活性剤、およびアミドまたはヒドロキシル基またはエチレンオキシド鎖により特徴づけられる非イオン性界面活性剤の群から選択される。カチオン性、両性または両性イオン性界面活性剤も合わせて、あるいは別に、コポリマーおよび水性組成物中の他の成分と、本発明により必要とされる量において相溶性であるならば、用いることができる。アミンまたはアンモニウム可溶化基により特徴づけられるカチオン性界面活性剤、および／またはアニオン性およびカチオン性可溶化基の組み合わせにより特徴づけられる両性界面活性剤を選択することができる。本発明の実施において用いられる好ましい界面活性剤は、Ｃ８〜Ｃ１８脂肪酸またはその水溶性塩；Ｃ８〜Ｃ１８アルコールの水溶性スルフェート；スルホン化アルキルアリール化合物、例えば、ドデシルベンゼンスルホネート、アルキルフェノキシポリエトキシエタノール、例えば、Ｃ７〜Ｃ１８アルキル基および９〜４０またはそれ以上のオキシエチレン単位を有するもの；ラウリン酸、ミリスチン酸、パルミチン酸またはオレイン酸などの長鎖カルボン酸のエチレンオキシド誘導体；ラウリルまたはセチルアルコールなどの長鎖アルコールのエチレンオキシド誘導体；およびアルカノールアミドおよびポリグルコシド、例えばアルキルポリグルコシドから選択することができる。好適なカチオン性界面活性剤は、例えば、ラウリルピリジニウムクロリド、オクチルベンジルトリメチルアンモニウムクロリド、ドデシルトリメチルアンモニウムクロリドおよび第一脂肪酸アミンのエチレンオキシド縮合物である。
【００１６】
本発明の組成物は、他の任意成分、例えば、塩、１以上の追加のレオロジー調整剤（例えば、Ｌａｐｏｎｉｔｅ（商標）クレー、セルロース誘導体、カラギーナン、キサンタン、ＰＥＧ−１５０ジステアレート、および他のアクリルまたはウレタンレオロジー調整剤）、有機または無機粒子（例えば、研磨剤、ビーズ、マイカ、カプセル化オイルビーズ）、分散液体、シリコーン、分散剤、殺生物剤、酵素、漂白剤、皮膚軟化剤、油、香料、染料、ＵＶＡおよびＵＶＢ吸収剤、赤外線吸収剤、およびチオグリコール酸を含む。
【００１７】
本発明者らは、本発明のコポリマーが、その上に生成物が用いられることが意図される基体に施用される間に、チャンキネス（ｃｈｕｎｋｉｎｅｓｓ）をともなわずに、増粘または懸濁、透明性およびなめらかな流動性および塗布性を必要とする水性組成物において、レオロジー調整剤として特に有効であることを見いだした。生成物を施用できる代表的な基体としては、皮膚、毛髪、爪、歯、織物、紙、プラスチックおよび複合フィルム、木材、皮革、および他の硬質表面が挙げられる。これらの組成物において典型的なレオロジー調整剤は、増粘または懸濁をもたらすが、基体上でなめらかな流動性または塗布性をもたらさないか、あるいはなめらかな流動性を有するが、有効な増粘性を有さない組成物を提供する。増粘により、本発明者らは、ポリマーを水性組成物に添加することにより、組成物の粘度の増大を可能にすることを意味する。透明性により、本発明者らは、アメリカ合衆国環境保護庁１８０．１法（比濁分析法）における詳細を用いてサンプルの濁度が５０ＮＴＵ未満であることを意味する。チャンキネス（ｃｈｕｎｋｉｎｅｓｓ）により、本発明者らは、施用された配合物が、連続フィルムとしてなめらかに流動するのではなく、破断して、塊または粗いシートになる傾向があることを意味する。なめらかな流動性により、本発明者らは、配合物が基体に施用されると、容易に広がり、破断しないことを意味する。塗布性とは、基体上に液体のフィルムがどのくらい容易に形成されるかを意味する。懸濁とは、配合物の連続相全体にわたっての粒状物または固体物質、液体物質、または空気の均一な分散を意味する。懸濁できないことは、ある範囲の貯蔵温度条件下で連続相から分散した物質が相分離することにより明らかになる。
【００１８】
コポリマーが特に有用である一水性組成物は、ヘアジェルである。ヘアジェルの典型的な成分は、レオロジー調整剤に加えて、フィルム形成性毛髪固定剤、および前記毛髪固定剤、レオロジー調整剤、またはその両者を中和するために十分な塩基を含む。ヘアジェル中の任意の添加剤としては、香料、香料可溶化剤、コンディショナー、懸濁化された粒子、シリコーン、可塑剤、保存料、および溶剤、例えばエタノールが挙げられる。一実施形態において、コポリマーはそれ自体、毛髪固定剤およびレオロジー調整剤の両方としての働きをすることができる。毛髪固定剤組成物において用いられる場合、組成物はさらなる毛髪固定剤を含有することができる。好適なさらなる毛髪固定剤としては、例えば、ＣＴＦＡ国際化粧品成分辞典およびハンドブックに列挙されている任意の毛髪固定性ポリマー、例えば、アクリレートコポリマー、ＰＶＰ、ＰＶＰ／ＶＡ、アクリルアミド／アクリルアミドメチルプロパンスルホネート／メタクリレートポリマー、ポリクオタニウム−４、ポリクオタニウム−１１、ＰＱ−７、ＰＱ−３９、ＰＱ−２、ＰＱ−１０、ＰＱ−１６、ＰＱ−１６、ＰＱ−４６、ＰＱ−２８、ＰＱ−５５、ＰＶＰ／ジメチルアミノエチルメタクリレートコポリマー、グアーヒドロキシプロピルトリモニウムクロリド、ビニルカプロラクタム／ＰＶＰ／ジメチルアミノエチルメタクリレートコポリマー、ＰＶＰおよびジメチコン、ＰＱ−２８およびジメチコン、ＰＶＰ／ビニルカプロラクタム／ＤＭＡＰＡアクリレートコポリマー、ＰＶＰ／ＤＭＡＰＡアクリレートコポリマー、改変コーンスターチ、アクリレート／ヒドロキシエステルアクリレートコポリマー、アクリルアミド／ナトリウムアクリロイルジメチルタウレート／アクリル酸コポリマー、およびポリビニルカプロラクタムが挙げられる。
【００１９】
コポリマーが有用なもう一つ別の水性組成物はシャンプーである。シャンプーの典型的な成分は、前述のコポリマーおよび界面活性剤に加えて、ｐＨ４．７５〜７．０を達成するために十分な塩基を含む。本発明の特定の一実施形態は、シリコーンおよびパーライジング剤をはじめとする任意の成分を含有するコンディショニングシャンプーである。もう一つ別の実施形態は、亜鉛ピリチオンならびにシリコーンおよびパーライジング剤をはじめとする任意の成分を含むシャンプーである。
【００２０】
コポリマーが有用である他の配合物は、例えば、ヘアスタイリングクリーム、ペースト、またはガム；コンディショナー、２イン１コンディショニングシャンプー、ボディーウォッシュ／シャワージェル、液状石けん、日焼け止めローションおよびスプレー、日焼けローション、スキンケアローション、１成分および２成分毛染剤、パーマ液、織物および硬質表面洗浄剤、例えば洗濯洗剤、液体自動皿用洗剤、手洗い皿用洗剤、スポット前処理剤、オーブンクリーナー、およびガラス／窓クリーナー、および様々なアルコールまたは水／アルコール系配合物を包含する。コポリマーは、補助乳化剤または界面活性剤と共に、またはこれらなしでポリマー乳化剤として使用することもできる。
【実施例】
【００２１】
本発明の組成物において有用な典型的なポリマーの組成は、例えば次のとおりである：
【表１】
2006225650.tif 000002
【００２２】
ａ．Ｌｉｐｏｌは、１８〜２６のオキシエチレン残基を介してメタクリロイル基と結合した直鎖飽和Ｃ１６〜１８アルキル基を有する親油的に修飾されたモノマーである。
ｂ．Ｌｉｐｏ３は、２０〜２８のオキシエチレン残基を介してメタクリロイル基と結合した直鎖飽和Ｃ２０〜２４アルキル基を有する親油的に修飾されたモノマーである。
ｃ．ｎＤＤＭはｎ−ドデシルメルカプタンである。
ｄ．ＴＭＰＤＥ：トリメチロールプロパンジアリルエーテル
【００２３】
（実施例１）
アクリレート／ヒドロキシエステルアクリレートコポリマーを含む無アルコールヘアジェル
組成：
【００２４】
【表２】
2006225650.tif 000003
【００２５】
調製法：
１．アクリレート／ヒドロキシエステルアクリレートコポリマーを全脱イオン水投入量の一部であらかじめ希釈する。これがパート１である。
２．アミノメチルプロパノールを全脱イオン水投入量の一部であらかじめ希釈する。これがパート２である。
３．パート１をパート２に撹拌しながら添加する。組み合わせた混合物がパート３である。
４．香料とポリソルベート２０を組み合わせる。
５．グリセリン、パンテノール、ＥＤＴＡ、香料／ポリソルベート２０混合物、およびＮｅｏｌｏｎｅ（商標）９５０保存料をパート３に撹拌しながら添加する。組み合わせた混合物がパート４である。
６．ポリマー＃６を全脱イオン水投入量の一部であらかじめ希釈する。これがパート５である。
７．パート４をパート５に撹拌しながらゆっくりと添加する。サンプルを１時間以上かけて平衡化させる。
８．得られたヘアジェルはｐＨ７．２であり、ブルックフィールド粘度が５４０００ｃｐｓ（スピンドル  ＲＶ＃７、２０ｒｐｍ）であった。
【００２６】
（実施例２）
高光沢低粘度ヘアジェル
組成：
【００２７】
【表３】
2006225650.tif 000004
【００２８】
調製法：
１．アクリレート／ヒドロキシエステルアクリレートコポリマーを全脱イオン水投入量の一部であらかじめ希釈する。これがパート１である。
２．アミノメチルプロパノールを全脱イオン水投入量の一部であらかじめ希釈する。これがパート２である。
３．パート１をパート２に撹拌しながら添加する。組み合わせた混合物がパート３である。
４．香料とポリソルベート２０を組み合わせる。
５．グリセリン、パンテノール、ＰＥＧ／ＰＰＧ−１５／１５ジメチコン、ＥＤＴＡ、香料／ポリソルベート２０混合物、およびＮｅｏｌｏｎｅ（商標）９５０保存料をパート３に撹拌しながら添加する。組み合わせた混合物がパート４である。
６．ポリマー＃６を全脱イオン水投入量の一部であらかじめ希釈する。これがパート５である。
７．パート４をパート５に撹拌しながらゆっくりと添加する。サンプルを１時間以上かけて平衡化させる。
８．得られたヘアジェルはｐＨ７．０〜７．５であり、ブルックフィールド粘度が１００００〜１３０００ｃｐｓ（スピンドル  ＲＶ＃４、１０ｒｐｍ）であった。
【００２９】
（実施例３）
スプレーヘアジェル
組成：
【００３０】
【表４】
2006225650.tif 000005
【００３１】
調製法：
１．ポリマー＃６を全脱イオン水投入量の８５％と撹拌しながら組み合わせる。これがパート１である。
２．Ｏｌｅｔｈ−２０およびソルビトールをパート１に撹拌しながらゆっくりと添加する。組み合わせられた混合物がパート２である。
３．アミノメチルプロパノールをパート２に撹拌しながら添加する。組み合わせた混合物がパート３である。
４．ＰＶＰ溶液をパート３に撹拌しながら添加する。残りの脱イオン水およびメチルイソチアゾリノンを添加し、良く混合する。
５．得られたヘアジェルはｐＨ７．４であり、ブルックフィールド粘度が９０００ｃｐｓ（スピンドル  ＲＶ＃４、１２ｒｐｍ）であった。
【００３２】
（実施例４）
自己増粘ヘアジェル
この配合物において、ポリマーレオロジー調整剤は、毛髪固定剤としての働きもする。
組成：
【００３３】
【表５】
2006225650.tif 000006
【００３４】
調製法：
１．ポリマー＃６を全脱イオン水と撹拌しながら組み合わせる。
２．アミノメチルプロパノールを撹拌しながら添加する。
３．サンプルを１時間以上で平衡化させる。
４．得られるヘアジェルはｐＨ７．０であり、ブルックフィールド粘度が１２１５０ｃｐｓ（スピンドル  ＲＶ＃４、２０ｒｐｍ）であった。
【００３５】
（実施例５）
ふけとりシャンプー
組成：
【００３６】
【表６】
2006225650.tif 000007
【００３７】
調製法：
１．ポリマー＃１を全脱イオン水投入量の８０％であらかじめ希釈する。ラウリル硫酸ナトリウムおよびラウレス硫酸ナトリウムを撹拌しながら添加する。組み合わせられた混合物はパート１である。
２．２０％水酸化ナトリウムでパート１のｐＨをｐＨ６．２５〜６．７５に調節する。
３．全脱イオン水投入量の１０％をメチルクロロイソチアゾリノン、メチルイソチアゾリノンと組み合わせる。この組み合わせた混合物をパート１に添加する。これがパート２である。
４．コカミドプロピルベタインをパート２に撹拌しながら添加する。組み合わせた混合物はパート３である。
５．５０％クエン酸でパート３のｐＨをｐＨ５．２５〜５．７５に調節する。
６．亜鉛ピリチオン、染料、および塩化ナトリウムを添加し、撹拌して組み合わせる。
７．脱イオン水で適量にする。サンプルを１時間以上で平衡化させる。
８．得られたふけ取りシャンプーはｐＨ５．４であり、ブルックフィールド粘度が３４８０ｃｐｓ（スピンドル  ＲＶ＃４、２０ｒｐｍ）であった。シャンプーは２５℃および４５℃で安定であった（相分離が観察されなかった）。
【００３８】
（実施例６）
透明コンディショニングシャンプー
組成：
【００３９】
【表７】
2006225650.tif 000008
【００４０】
調製法：
１．ポリマー＃６を全脱イオン水投入量の一部であらかじめ希釈する。ラウリルエーテル硫酸ナトリウムおよびＥＤＴＡを撹拌しながら添加する。組み合わせられた混合物がパート１である。
２．１０％水酸化カリウムでパート１のｐＨをｐＨ６．０〜６．５に調節する。
３．コカミドＤＥＡ、コカミドプロピルベタイン、ビス（Ｃ１３−１５アルコキシ）ＰＧ、アモジメチコン、Ｄ−パンテノール、およびＣｅｌｑｕａｔ（商標）  ＳＣ２４０Ｃを順々にパート１に撹拌しながら添加する。組み合わせた混合物がパート２である。
４．香料およびポリソルベート２０を組み合わせる。この混合物をパート２に添加し、撹拌して組み合わせる。
５．プロピレングリコールで粘度を８０００〜１００００ｃｐｓに調節する。
６．メチルクロロイソチアゾリノン、メチルイソチアゾリノンを添加し、撹拌して組み合わせる。
７．脱イオン水で適量にする。
８．得られた透明コンディショニングシャンプーはｐＨ６．０〜６．５であり、ブルックフィールド粘度が８０００〜１００００ｃｐｓ（スピンドル  ＲＶ＃４、１０ｒｐｍ）であった。
【００４１】
（実施例７）
２イン１コンディショニングシャンプー
組成：
【００４２】
【表８】
2006225650.tif 000009
【００４３】
調製法：
１．ポリマー＃６を全脱イオン水投入量の一部であらかじめ希釈する。ラウリルエーテル硫酸ナトリウムおよびＥＤＴＡを撹拌しながら添加する。組み合わせられた混合物がパート１である。
２．２０％水酸化ナトリウムでパート１のｐＨをｐＨ５．７〜６．２に調節する。
３．コカミドプロピルベタイン、グリコールジステアレート（および）ラウレス−４（および）コカミドプロピルベタイン、ジメチコン（および）ラウレス−２３およびＣ１２−１５パレス−３を順々にパート１に撹拌しながら添加する。組み合わせた混合物がパート２である。
４．香料およびポリソルベート２０を組み合わせる。この混合物をパート２に添加し、撹拌して組み合わせる。
５．プロピレングリコールで粘度を１１０００〜１３０００ｃｐｓに調節する。
６．メチルクロロイソチアゾリノン、メチルイソチアゾリノンを添加し、撹拌して組み合わせる。
７．脱イオン水で適量にする。
８．得られた２イン１コンディショニングシャンプーはｐＨ５．７〜６．２であり、ブルックフィールド粘度が１１０００〜１３０００ｃｐｓ（スピンドル  ＲＶ＃４、１０ｒｐｍ）であった。シャンプーは２５℃および４５℃で安定であった（相分離が観察されなかった）。
【００４４】
（実施例８）
懸濁化ホホバビーズを有するシャワージェル
組成：
【００４５】
【表９】
2006225650.tif 000010
【００４６】
調製法：
１．ポリマー＃６を全脱イオン水投入量の一部であらかじめ希釈する。ラウリルエーテル硫酸ナトリウムおよびＥＤＴＡを撹拌しながら添加する。組み合わせられた混合物はパート１である。
２．１０％水酸化カリウムでパート１のｐＨをｐＨ６．０〜６．５に調節する。
３．コカミドプロピルベタインを撹拌しながらパート１に添加する。組み合わせた混合物はパート２である。
４．香料およびポリソルベート２０を組み合わせる。この混合物をパート２に添加し、撹拌して組み合わせる。
５．プロピレングリコールで粘度を１１０００〜１３０００ｃｐｓに調節する。
６．メチルクロロイソチアゾリノン、メチルイソチアゾリノンを添加し、撹拌して組み合わせる。
７．ホホバビーズを添加し、撹拌して組み合わせる。
８．脱イオン水で適量にする。
９．得られたシャワージェルはｐＨ６．０〜６．５であり、ブルックフィールド粘度は１２４００ｃｐｓ（Ｓｐｎｄｌｅ ＲＶ＃４、１０ｒｐｍ）であった。懸濁されたビーズ配合物は２５℃および４５℃のいずれでも安定であった。
【００４７】
（実施例９）
水中油エマルジョン
組成：
【００４８】
【表１０】
2006225650.tif 000011
【００４９】
調製法：
１．ポリマー＃６およびメチルイソチアゾリノンを脱イオン水で分散させる。
２．アミノメチルプロパノールでｐＨを６．１に調節する。
３．高剪断ホモジナイザーを１００００ｒｐｍで５分間使用してパラフィンオイルを添加して、エマルジョンを形成する。
４．得られたエマルジョンのｐＨは６．１であった。
【００５０】
（実施例１０）
耐水性日焼け止め
本明細書において記載された架橋されたコポリマーを使用した典型的な耐水性日焼け止め配合物は次のとおりである。コポリマーを配合物に添加すると、日焼け止めの有効な増粘が起こり、向上されたフィルム配合物および皮膚上の良好な感触が得られる。典型的には、１０％までのＳｕｎＳｐｈｅｒｅｓ（商標）（スチレン／アクリレートコポリマー）ＳＰＦエンハンサー、Ｒｏｈｍ  ａｎｄ  Ｈａａｓ  Ｃｏｍｐａｎｙ）を、ＳＰＦ向上のために配合物に添加することができる。
典型的な組成：
【００５１】
【表１１】
2006225650.tif 000012
【００５２】
典型的な調製法：
１．水、架橋されたコポリマー、アクリレートコポリマー、およびプロピレングリコールを撹拌しながら組み合わせる。混合物を７５℃まで加熱する。これがパート１である。
２．第二の容器中で、イソプロピルミリステート、シクロメチコン、セテアリルアルコール、ＤＥＡセチルアルコール、ベンゾフェノン−３、エチルヘキシルメトキシシンナメート、マカダミア・ターニフォリア種子油、およびトコフェリルアセテートを組み合わせる。混合物を７５℃まで加熱する。これがパート２である。
３．パート２をパート１に撹拌しながらゆっくりと添加して、空気の閉じ込めを回避する。
４．撹拌しながら３５℃まで冷却し、メチルイソチアゾリノン、スチレン／アクリレートコポリマー、香料、および染料を添加する。
【００５３】
（実施例１１）
２成分酸化毛髪染剤
本明細書に記載される架橋されたコポリマーを用いた典型的な二成分酸化毛髪染剤配合物は次のとおりである。コポリマーを配合物に添加することにより、組み合わせる際に毛髪染剤が急速に増粘され、調製物が非流動性毛髪染剤になり、毛髪上に有効に被覆される。
典型的な組成：
【００５４】
【表１２】
2006225650.tif 000013
【００５５】
典型的な調製法：
パートＡ：
１．脱イオン水を４５℃まで加熱する。染料混合物を水に撹拌しながら添加する。
２．希釈された染料混合物に、亜硫酸ナトリウム、ＥＤＴＡ二ナトリウム、デシルグルコシド、エタノールアミンおよびコカミドプロピルベタインを撹拌しながら添加する。
３．周囲温度に冷却し、メチルイソチアゾリノンを添加する。
パートＢ：
１．架橋されたコポリマーと脱イオン水を第二の容器中で組み合わせる。
２．Ｃ１４−１５パレス−７を希釈されたレオロジー調整剤混合物に添加し、撹拌して組み合わせる。
３．Ｃ１４−１５パレス−７が溶解したら、Ｃ１２−１５パレス−３を添加し、撹拌して組み合わせる。
４．一定して撹拌しながら、過酸化水素を添加する。
５．エチドロン酸を撹拌しながら添加する。
【００５６】
（実施例１２）
サリチル酸スクラブ洗顔料
本明細書に記載された架橋されたコポリマーを用いるサリチル酸を含有するスクラブ洗顔配合物は次のとおりである。コポリマーを配合物に添加することにより、なめらかに流動する配合物の調製が可能になり、ビーズ懸濁液の安定化が可能になる。
典型的な組成：
【００５７】
【表１３】
2006225650.tif 000014
【００５８】
典型的な調製法：
１．架橋されたコポリマーを全脱イオン水投入量の６５％であらかじめ希釈する。全オレフィンスルホン酸ナトリウム投入量の６０％を撹拌しながら添加する。組み合わせた混合物がパート１である。
２．パート１のｐＨを２０％水酸化ナトリウムでｐＨ５．１〜５．５に調節する。
３．第二の容器中で、全脱イオン水投入量の２５％、全オレフィンスルホン酸ナトリウムの投入量の４０％、グリセリンおよびサリチル酸を撹拌しながら組み合わせる。これがパート２である。
４．パート１と２を撹拌しながらゆっくりと組み合わせる。組み合わせられた混合物がパート３である。
５．コカミドプロピルベタイン、Ｃ１２−１３アルキルリン酸カリウム、染料、およびホホバビーズをパート３に撹拌しながら添加する。脱イオン水で適量にする。
【００５９】
（実施例１３）
石けんベースの洗顔料
本発明の架橋されたコポリマーを使用した典型的な石けんベースの洗顔料は次のとおりである。コポリマーを配合物に添加することにより、有効な増粘および５００００〜１０００００ｃｐｓの目標粘度を有する安定な洗顔料の調製が可能になる。
典型的な組成：
【００６０】
【表１４】
2006225650.tif 000015
【００６１】
典型的な調製法：
１．水酸化カリウムを全脱イオン水の１６％中に溶解させる。溶解したら、あらかじめ６０℃に加熱された追加の脱イオン水（全投入量の３８％）を添加する。これがパート１である。
２．ラウリン酸およびミリスチン酸を撹拌しながら組み合わせ、６０〜６５℃に加熱する。これがパート２である。パート２をパート１中に撹拌しながら添加する。混合物の温度を６０℃に維持する。組み合わせた混合物がパート３である。
３．架橋されたコポリマーを全脱イオン水の２５％で希釈する。この混合物のｐＨを１０％水酸化カリウム溶液でｐＨ５．５に調節する。パート３を撹拌しながら添加する。組み合わせた混合物がパート４である。
４．香料およびポリソルベート２０を組み合わせる。
５．全脱イオン水の１２％、ラウロイルサルコシン酸ナトリウム、ラウラミンオキシド、グリセリン、およびＥＤＴＡを撹拌しながら添加する。パート４を撹拌しながら添加する。組み合わせた混合物がパート５である。
６．香料およびポリソルベート２０を組み合わせる。香料／ポリソルベート２０およびメチルイソチアゾリノンをパート５に撹拌しながら添加する。組み合わせた混合物がパート６である。スチレン／アクリルアミドコポリマーを全脱イオン水投入量の５％で希釈する。パート６を撹拌しながら添加する。
７．混合物の最終ｐＨをｐＨ８．５〜９．０に調節するために、１０％水酸化カリウム溶液を必要に応じて添加する。
８．必要ならば、２５％ＮａＣｌ溶液を撹拌しながら添加して、混合物の最終粘度を調節する。目標粘度＝５００００〜１０００００ｃｐｓ。
【００６２】
（実施例１４）
石けんベースのボディーウォッシュ
本明細書に記載された架橋されたコポリマーを用いた典型的な石けんベースのボディーウォッシュ配合物は次のとおりである。コポリマーを配合物に添加することにより、有効な増粘および安定なボディーウォッシュの調製が可能になる。
典型的な組成：
【００６３】
【表１５】
2006225650.tif 000016
【００６４】
典型的な調製法：
１．水酸化カリウムを全脱イオン水の１６％中に溶解させる。溶解したら、あらかじめ６０℃に加熱された追加の脱イオン水（全投入量の３８％）を添加する。これがパート１である。
２．ラウリン酸、ミリスチン酸、およびパルミチン酸を撹拌しながら組み合わせ、６０〜６５℃に加熱する。これがパート２である。
３．パート２をパート１中に撹拌しながら添加する。混合物の温度を６０℃に維持する。組み合わせた混合物がパート３である。
４．架橋されたコポリマーを全脱イオン水の２５％で希釈する。１０％水酸化カリウム溶液でこの混合物のｐＨをｐＨ５．５に調節する。パート３を撹拌しながら添加する。組み合わせた混合物がパート４である。
５．全脱イオン水の１２％、ラウリルエーテル硫酸ナトリウム、プロピレングリコール、およびデシルグルコシドを撹拌しながら組み合わせる。パート４に撹拌しながら添加する。組み合わせた混合物がパート５である。
６．スチレン／アクリルアミドコポリマーを全脱イオン水投入量の５％で希釈する。パート５を撹拌しながら添加する。
１０％水酸化カリウム溶液を必要に応じて添加して、混合物の最終ｐＨをＨ９．０〜９．５に調節する。
７．撹拌しながら、２５％ＮａＣｌ溶液を添加して、混合物の最終粘度を調節する。脱イオン水で適量にする。目標粘度＝１０００ｃｐｓ。
【外国語明細書】
2006225650000001.pdf
2006225650000002.pdf
2006225650000003.pdf